(57)【要約】【課題】キャップ被着に対して所望の密封性能を得ることができるカール部の形状であって、しかも落下衝撃に対するカール部の変形を抑止する。【解決手段】缶体１のカール部１０は、口部１Ｄの上端を含む上端湾曲部１１と、下端１２Ａが口部１Ｄの側壁２に近接又は当接して上方が缶軸に対して外側に傾斜した外壁湾曲部１２と、上端湾曲部１１の内側に設けられ、上端湾曲部１１の曲率半径より小さい曲率半径を有する内側連結湾曲部１３と、上端湾曲部１１の外側に設けられ上端湾曲部１１の曲率半径より小さい曲率を有する外側連結湾曲部１４とを有する。【選択図】図２
2017197222.tif 000002
【特許請求の範囲】
【請求項１】
口部を有し、前記口部の開口端にカール部を設けた缶体であって、
前記カール部は、
前記口部の上端を含む上端湾曲部と、
下端が前記口部の側壁に近接又は当接して上方が缶軸に対して外側に傾斜した外壁湾曲部と、
前記上端湾曲部の内側に設けられ、前記上端湾曲部の曲率半径より小さい曲率半径を有する内側連結湾曲部と、
前記上端湾曲部の外側に設けられ前記上端湾曲部の曲率半径より小さい曲率を有する外側連結湾曲部とを有することを特徴とする缶体。
【請求項２】
前記カール部の断面形状は、前記口部の側壁と前記上端湾曲部と前記外壁湾曲部を三辺とする略逆三角形状であることを特徴とする請求項１記載の缶体。
【請求項３】
前記外壁湾曲部の下端より上側の前記口部の側壁は、缶軸に対して上方が内側に傾斜していることを特徴とする請求項１又は２記載の缶体。
【請求項４】
前記上端湾曲部と前記外壁湾曲部の曲率半径が略同等であることを特徴とする請求項１〜３のいずれか１項に記載の缶体。
【請求項５】
前記外側連結湾曲部が前記カール部における最大外径部となることを特徴とする請求項１〜４のいずれか１項に記載の缶体。
【請求項６】
底部と胴部と肩部と口部を有する缶体の、前記口部の開口端にカール部を形成する方法であって、
前記カール部の最大外径部より下方の部位を潰し加工によって湾曲成形したことを特徴とする缶体口部のカール部形成方法。
【請求項７】
前記潰し加工によって湾曲成形された成形面が缶軸に対して下方が内側に傾斜して成形されることを特徴とする請求項６に記載された缶体口部のカール部形成方法。
【請求項８】
第１段階の加工として前記口部の開口端にスピニングダイによる湾曲フランジ成形を行い、その後の第２段階として前記潰し加工を行うことを特徴とする請求項６又は７に記載された缶体口部のカール部形成方法。
【発明の詳細な説明】
【技術分野】
【０００１】
本発明は、缶体及び缶体口部のカール部形成方法に関するものである。
【背景技術】
【０００２】
口部を有する缶体は、飲料水などの液体収容物の容器として一般に用いられており、キャップで密封される口部には、開口端をカール状に巻き加工したカール部が形成されている。特に、ボトル缶は、アルミニウム製やその合金製の金属板を絞り加工及びしごき加工によって有底筒状体に形成した後、この有底筒状体の開口部に、ネックイン加工を施すことで縮径した口部を形成し、その口部にねじ成形加工とカール成形加工を施している。
【０００３】
このような缶体の口部に形成されるカール部は、口部に被着されるキャップのシール材との密封性などを考慮して、各種の加工形状が提案されている。
【０００４】
例えば、下記特許文献１に記載された従来技術は、開口部の周縁を径方向外側に折り返して形成されるカール部が、ボトル缶の缶軸方向と略平行な方向に延在した外面側壁部と、外面側壁部の上端から径方向内方に向かう外面側凸曲部と、外面側凸曲部からさらに径方向内方に向かう内面側凸曲部を備え、外面側壁部を所定長さ以上にすると共に、潰し加工によって直線状に成形される外面側壁部と外面側凸曲部との接続部を、ボトル缶の上端（口部の上端）から離間させた形状にしたものが示されている。
【０００５】
また、下記特許文献２に記載された従来技術は、外巻きのカール部を、カール潰し加工を施すことなく、その外側面が外方に突出する曲面となるようにし、カール部の縦断面形状が縦長の長円形となるように形成したものが示されている。
【先行技術文献】
【特許文献】
【０００６】
【特許文献１】特開２００４−２１７３０５号公報
【特許文献２】特開２００６−１８８２７９号公報
【発明の概要】
【発明が解決しようとする課題】
【０００７】
前述した特許文献１に記載の従来技術は、湾曲状のフランジ加工（スピニング成形）と直線的な潰し加工の組み合わせによってカール部を形成している。この際、直線的な潰し加工によって形成される外面側壁部の下端は自由端になっており、ボトル缶の口部（口金部）の外周面との間に比較的大きな間隙が形成されている。このような従来技術によると、缶体に収容物を充填した後キャップによって口部を密封した状態で、落下衝撃が加わった場合に、外面側壁部の下端と口部外周面との間隙に応じてカール部が変形することになり、この変形でシールポイントにおいて所望の密封性が得られなくなる問題が生じることがある。
【０００８】
これに対して、前述した特許文献２に記載の従来技術は、潰し加工を行うこと無く全体的に湾曲したカール部を形成しており、カール部の下端を口部の外周面に近接させている。しかしながら、横断面形状が縦長の長円形であるカール部は、その形状が落下衝撃に対して耐性のある形状になっていないので、缶体に収容物を充填した後キャップによって口部を密封した状態で、落下衝撃が加わった場合には、カール部の断面形状が潰れるように変形して、この変形により所望の密封性能が得られなく問題が生じることがある。
【０００９】
本発明は、このような従来技術の問題点を解消することを課題とするものであり、キャップ被着に対して所望の密封性能を得ることができるカール部の形状であって、しかも、落下衝撃に対するカール部の変形を抑止すること、が本発明の課題である。
【課題を解決するための手段】
【００１０】
このような課題を解決するために、本発明による缶体は、以下の構成を具備するものである。
口部を有し、前記口部の開口端にカール部を設けた缶体であって、前記カール部は、前記口部の上端を含む上端湾曲部と、下端が前記口部の側壁に近接又は当接して上方が缶軸に対して外側に傾斜した外壁湾曲部と、前記上端湾曲部の内側に設けられ、前記上端湾曲部の曲率半径より小さい曲率半径を有する内側連結湾曲部と、前記上端湾曲部の外側に設けられ前記上端湾曲部の曲率半径より小さい曲率を有する外側連結湾曲部とを有することを特徴とする缶体。
また、本発明による缶体口部のカール部形成方法は、底部と胴部と肩部と口部を有する缶体の、前記口部の開口端にカール部を形成する方法であって、前記カール部の最大外径部より下方の部位を潰し加工によって湾曲成形したことを特徴とする。
【発明の効果】
【００１１】
このような特徴を有する本発明の缶体は、カール部の断面形状が落下衝撃に対する耐性を有する形状になっている。これによって、口部に被着するキャップに対して所望の密封性能を得ることができるカール部の形状であって、しかも落下衝撃に対するカール部の変形を抑止することができる。
また、本発明のカール部形成方法により、缶体カール部の最大外径部より下方の部位を、落下衝撃に対する耐性を有する形状、あるいは、口部に被着するキャップに対して所望の密封性能を得ることができる形状に成形できる。
【図面の簡単な説明】
【００１２】
【図１】缶体の構成例を示した説明図である（全体構成図）。
【図２】本発明の実施形態に係る缶体のカール部を示した縦断面図である。
【図３】本発明の実施形態に係る缶体のカール部とキャップの密封性を示した縦断面図である。
【図４】本発明の実施形態に係る缶体の口部におけるカール部形成方法を示した説明図である（（ａ）が加工前の状態、（ｂ）スピニング成形の成形途中、（ｃ）がスピニング成形の成形後、（ｄ）が潰し加工の成形工程をそれぞれ示している。）。
【発明を実施するための形態】
【００１３】
以下、図面を参照して本発明の実施形態を説明する。以下の説明で、異なる図における同一符号は同一機能の部位を示しており、各図における重複説明は適宜省略する。
【００１４】
図１は、缶体１の構成例を示している。缶体１は、例えば、底部１Ａ、胴部１Ｂ、肩部１Ｃ、口部１Ｄを有する金属製の容器である。缶体１の一例はボトル缶である。ボトル缶の形成方法は以下の通りである。例えば、アルミ合金などからなる金属板を円形状に打ち抜き、それを絞り加工して有底円筒状のカップ部材を得て、それを再絞り・しごき加工して、所定肉厚の円筒状の缶を一旦得る。その後、ネックイン加工によって、円筒状の缶の開口端から所定長さを縮径して肩部１Ｃおよび口部を形成する。そして口部に、ビード部及びネジ部をスピニング加工によって形成し、次いで、ネジ部の上方に、上向き内側に傾斜した側壁（後述の側壁２）をネックイン加工によって形成し、そして、前記側壁の上方の開口端には以下に説明するカール部１０をスピニング加工により形成することで口部１Ｄを有するボトル形状の缶体１を得る。
【００１５】
カール部１０は、口部１Ｄの開口端を外側に湾曲させてカール状に加工した部位である。カール部１０は、口部１Ｄの周囲に略同一断面で環状に形成されている。
【００１６】
本発明の実施形態に係る缶体１の口部１Ｄに設けたカール部１０は、図２に示すような断面形状を有している（図において、Ｐ１は缶軸に平行な仮想線である）。すなわち、カール部１０は、口部１Ｄの上端を含む上端湾曲部１１と、下端１２Ａが口部１Ｄの側壁２に近接又は当接して上方が缶軸（仮想線Ｐ１）に対して外側に傾斜した外壁湾曲部１２とを有しており、その断面形状が、口部１Ｄの側壁２と上端湾曲部１１と外壁湾曲部１２を三辺とする略逆三角形状になっている。
【００１７】
このようなカール部１０の断面形状は、構造的に落下衝撃に対する耐性を有する形状になっている。具体的な構造を示すと、上端湾曲部１１の内側には内側連結湾曲部１３が設けられ、上端湾曲部１１に外側には外側連結湾曲部１４が設けられており、内側連結湾曲部１３の曲率半径Ｒ２と外側連結湾曲部１４の曲率半径Ｒ３は、いずれも上端湾曲部１１の曲率半径Ｒ１より小さく形成されて、略逆三角形状の角部を形成している。
【００１８】
また、更に具体的には、カール部１０は、外壁湾曲部１２の下端１２Ａより上側の口部１Ｄの側壁２が、缶軸（仮想線Ｐ１）に対して上方が内側に傾斜している。このように口部１Ｄの側壁２を傾斜させることで、この傾斜で図示Ｆ方向の偏荷重を受けることができるので、このような断面形状のカール部１０は、偏荷重に対しても高い耐性を有している。
【００１９】
また、更に具体的には、カール部１０は、上端湾曲部１１と外壁湾曲部１２の曲率半径が略同等に形成されることが好ましい。これによると、カール部１０の断面形状による略逆三角形状が略正三角形になり、各種方向から受ける衝撃荷重に対して等しい耐性を有することになる。この際には、外側連結湾曲部１４がカール部１０における最大外径部１４Ａになる。
【００２０】
図３は、缶体１の口部１Ｄにキャップ３を被着した場合におけるカール部１０の密封構造の一例を示している。前述した断面形状を有するカール部１０は、キャップ３を口部１Ｄに被着した場合に、外側連結湾曲部１４がキャップ３のシール材（ライナー材）３Ａに食い込むことでシールポイントを形成することができ、良好な密封性を得ることができる。この際、外側連結湾曲部１４の曲率半径Ｒ３を上端湾曲部１１の曲率半径Ｒ１より小さくして、適正な範囲で設定することにより、シール材３Ａの破損を防ぎながら所望の食い込みが得られるカール部１０の形状にすることができる。
【００２１】
また、缶体１が陽圧状態の場合には、キャップ３に口部１Ｄの上端から離れようとする力が常に作用することになるが、カール部１０の断面形状によると、シールポイントとなる外側連結湾曲部１４から下方に延びる外壁湾曲部１２が、内側に向けて傾斜しているので、シール材３Ａに食い込んだ外側連結湾曲部１４から下側の部分が陽圧によるキャップ３の浮き上がりを止める係止作用を有することになり、缶体が陽圧状態の場合にも効果的な密封効果を得ることができる。
【００２２】
図４は、カール部１０の形成方法の一例を示している。（ａ）は、加工前の開口端１Ｄ１を示している。この開口端１Ｄ１に対して、第１段階の加工として、（ｂ），（ｃ）に示すようなスピニング成形を行う。具体的には、（ｂ）に示すように、上方から第１のスピニングダイ２０を押圧させることで、開口端１Ｄ１に湾曲状のフランジ成形（スピニング成形）を行う。この際、第１のスピニングダイ２０の湾曲型２０Ａによって、カール部１０における上端湾曲部１１の湾曲形状（曲率半径Ｒ１）が成形される。次に、（ｃ）に示すように、第２のスピニングダイ２１を押圧させることで、上端湾曲部１１の内側に形成される内側連結湾曲部１３を成形する。この際、第２のスピニングダイ２１の湾曲型２１Ａによって、内側連結湾曲部１３の湾曲形状（曲率半径Ｒ２）が成形される。
【００２３】
その後、第２段階の加工として、（ｄ）に示すように、リフォームツール２２を側方から押し当てて、潰し加工する。この潰し加工で、カール部１０の最大外径部より下方の部位である外壁湾曲部１２を湾曲成形する。この際、リフォームツール２２は、回転中心軸に対して上方が外側に傾斜して湾曲した型面２２Ａを有しているので、これによって成形される外壁湾曲部１２は、その一部が潰し加工により、リフォームツール２２の回転中心軸、および、缶軸（仮想線Ｐ１）に対し下方が内側に傾斜した湾曲成形面を有している。
【００２４】
このように、スピニング成形と潰し加工の組み合わせでカール部１０を成形すること自体は、従来技術で示すように既に知られているが、本発明の形成方法では、潰し加工にて用いられるリフォームツール２２の型面２２Ａが回転中心軸に対して上方が外側に傾斜した湾曲面であることが１つの特徴になっている。このようなリフォームツール２２を用いることで、カール部１０の断面形状を、落下衝撃に対して耐性を有する効果的な略逆三角形状にすることができる。
【００２５】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００２６】
１：缶体，１Ａ：底部，１Ｂ：胴部，１Ｃ：肩部，１Ｄ：口部，
２：側壁，３：キャップ，３Ａ：シール材，
１０：カール部，１１：上端湾曲部，１２：外壁湾曲部，１２Ａ：下端，
１３：内側連結湾曲部，１４：外側連結湾曲部
【図１】
2017197222.tif 000003
【図２】
2017197222.tif 000004
【図３】
2017197222.tif 000005
【図４】
2017197222.tif 000006